(57)【要約】      （修正有）【課題】ゴルフプレーヤーがゴルフクラブをスイングする際に、指の関節（特に、利き手でない親指の第二関節）が逆方向に曲がることを有効に防止して、安全にゴルフスイングをすることができるフィンガープロテクターを提供する。【解決手段】フィンガープロテクター１０は、ゴルフクラブをスイングする際に、指の関節を保護するためのフィンガープロテクター１０であって、断面がＵ字形状の半管形状を有し、金属および／または硬質プラスチックから構成されていることを特徴とする。【選択図】図１
0003228725.tif 000002
【実用新案登録請求の範囲】
【請求項１】
ゴルフクラブをスイングする際に、指の関節を保護するためのフィンガープロテクターであって、
断面がＵ字形状の半管形状を有し、
金属および／または硬質プラスチックから構成されていることを特徴とするフィンガープロテクター。
【考案の詳細な説明】
【技術分野】
【０００１】
本考案は、ゴルフクラブをスイングする際に、指の関節を保護するためのフィンガープロテクターに関し、より詳しくは、指の関節（特に、利き手でない親指の第二関節）が逆方向に曲がることを有効に防止して、安全にゴルフスイングをすることを可能にするフィンガープロテクターに関する。
【背景技術】
【０００２】
ゴルフプレーヤーが、特に重量が重いゴルフクラブをスイングする際に、指の関節（特に、利き手でない手の親指第二関節）が、逆方向（正常な関節の屈曲方向とは逆の方向）に屈曲してしまうことがある。
場合によっては、挫傷などの怪我を伴うこともあり、その後のゴルフスイングに悪影響を与えることもある。
特に、女子ゴルフプレーヤーの場合、その関節が逆方向に容易に屈曲しやすいために、その傾向が著しい。
【０００３】
一旦、このような怪我をすると、ゴルフクラブの握り方を、意図的又は無意識に変更し、スイングの際のプレーヤーの感覚が変化してしまう場合もあり、従来のスイングができなくなってしまうこともある。
【考案の概要】
【考案が解決しようとする課題】
【０００４】
本考案者は、ゴルフクラブの握り方とゴルフクラブのスイングの際、指の関節の動きに着目し、有効に関節を保護する手段を鋭意検討した結果、本考案を創作するに至った。
【０００５】
すなわち、本考案は、ゴルフプレーヤーがゴルフクラブをスイングする際に、指の関節（特に、利き手でない親指の第二関節）が逆方向に曲がることを有効に防止して、安全にゴルフスイングをすることができるフィンガープロテクターを提供することを目的とする。
【０００６】
【課題を解決するための手段】
【０００７】
本考案に係るフィンガープロテクターは、ゴルフクラブをスイングする際に、指の関節を保護するためのフィンガープロテクターであって、断面がＵ字形状の半管形状を有し、金属および／または硬質プラスチックから構成されていることを特徴とする。
【考案の効果】
【０００８】
本考案に係るフィンガープロテクターは、ゴルフプレーヤーがゴルフクラブをスイングする際に、指の関節（特に、利き手でない親指の第二関節）が逆方向に曲がることを有効に防止して、安全にゴルフスイングをすることができるという、優位な効果を発揮する。
【図面の簡単な説明】
【０００９】
【図１】図１は、本考案に係るフィンガープロテクターを説明するための図である。
【考案を実施するための形態】
【００１０】
以下、本考案に係るフィンガープロテクターについて、図面を適宜参照しながら、詳細に説明する。
【００１１】
図１（Ａ）の付番１０は、本考案に係るフィンガープロテクターの一態様を示す。付番１０に示されるように、本考案に係るフィンガープロテクターは、断面がＵ字形状の半管形状を有している。ここで、当該半管形状の形状は、フィンガープロテクターの断面がＵ字形状を有している限り特に限定されるものではなく、適用する使用者（ゴルフプレーヤー）の指の幅（太さ）を考慮して、適宜選択される。
【００１２】
たとえば、図１（Ａ）の付番ＷおよびＤは、それぞれ、半管形状の幅と深さを示すが、使用者の指が太い場合（例：男性ゴルフプレーヤー）、ＷおよびＤは大きくなる傾向にあり、使用者の指が細い場合（例：女性ゴルフプレーヤー）、ＷおよびＤは小さくなる傾向にある。
【００１３】
なお、本考案に係るフィンガープロテクターは、利き手又は非利き手の任意の指の関節上に適用することができるが、たとえば、利き手又は非利き手の親指の関節の保護を目的とする場合、他の指の関節を保護する目的の場合に比べて、ＷおよびＤは大きくなる。
【００１４】
また、フィンガープロテクターの長さＬも、使用者や保護を目的とする指に応じて適宜変更することができる。たとえば、利き手又は非利き手の親指や小指の関節の保護を目的とする場合、人差し指の関節を保護する目的の場合に比べて、Ｌは小さくなる。
【００１５】
本考案に係るフィンガープロテクターは、保護すべき指の関節が逆に屈曲することを防止するという観点から、金属および／または硬質プラスチックから構成されている。
【００１６】
ここで、金属としては、鉄、アルミニウム、チタンや、これらを主成分とした合金などが挙げられる。また、硬質プラスチックとしては、上述のように、保護すべき指の関節が逆に屈曲することを有効に防止できる程度の硬さを有するものであれば特に限定されないが、ポリプロピレンなどのオレフィン系樹脂、ポリカーボネート、フェノール樹脂、塩化ビニル樹脂、ＡＢＳ樹脂、ウレタン系樹脂などが単独又は複数種類で適宜使用できる。また、廃棄の際に、環境への影響を考慮して、ポリ乳酸などのいわゆるバイオプラスチックであることも好ましい。また、ガラス繊維などを含む強化プラスチックなども使用できる。
【００１７】
なお、図１（Ａ）で示されるフィンガープロテクターでは、内側（すなわち、使用時に、指に接触する面）には特に処理が施されていたり、部材を有していたりするものではないが、必要に応じて、滑り止め処理などの表面処理が施されていたり、あるいは、ウレタンスポンジなどの任意部材がフィンガープロテクター本体の内側に積層されていてもよい。
【００１８】
また、本考案に係るフィンガープロテクターは、使用者の保護すべき指の形状などに応じて、適宜調整して作成されたものであること（すなわち、オーターメイドであること）が好ましい。
【００１９】
湯（約６０℃程度）により、軟化し任意の形状に造形できるプラスチックが市販されているが、かかるプラスチックを使用することで、上記のように、いわゆるオーダーメイドが可能となる。なお、廃棄の際に、環境への影響を考慮して、上記プラスチックは、生分解性のプラスチック（バイオプラスチック）であることが好ましい。
【００２０】
たとえば、湯（約６０℃程度）に浸漬して軟化させたプラスチック適量で、使用者の指（たとえば、グリップを握った状態での親指）の関節（たとえば、親指第二関節）を被覆する。しばらくすると、当該プラスチックの温度が低下して、軟化点未満の温度になると、当該プラスチックは硬化する（型取り工程）。次いで、硬化したプラスチックを指から外し、その形状を、必要に応じて調整してフィンガープロテクターを製造することができる。
【００２１】
なお、このように製造されたフィンガープロテクターは、使用者の指の大きさ、形状に基づいて製造されているため、指の大小などに関係なく、指の関節の保護効果が極めて高い。
【００２２】
また、指や関節の形状などが変化したとしても、再度、湯で軟化させて、上記型取り工程を実施すれば、形状などが変化した指や関節に適用したフィンガープロテクターを再生産することができる。
【００２３】
本考案に係るフィンガープロテクターは、図１（Ｂ）に示されるように、保護を目的とする指の関節に、フィンガープロテクターの半管形状の内側をはめ込んで使用する。
ここで、フィンガープロテクターの脱落を防止するために、ゴムなどで、指に適用されたフィンガープロテクターの外周が留められていてもよいが、通常は、ゴルフグローブとともに使用される。
【００２４】
たとえば、図１（Ｂ）に示されるように、保護を目的とする指の関節に本考案に係るフィンガープロテクターを適用し、さらに、ゴルフグローブを着用することが挙げられる。
【００２５】
なお、フィンガープロテクターを適用した状態においては、使用者（ゴルフプレーヤー）は、通常通り、ゴルフクラブをスイングしてもよく、スイングなどのプレーにおいて特別な考慮は必要ない。
【産業上の利用可能性】
【００２６】
本考案によれば、ゴルフプレーヤーがゴルフクラブをスイングする際に、指の関節（特に、利き手でない親指の第二関節）が逆方向に曲がることを有効に防止して、安全にゴルフスイングをすることができるフィンガープロテクターを提供することができる。また、本考案に係るフィンガープロテクターを使用すれば、選手生命に悪影響がある怪我である指の関節の怪我を防止することで、選手生命を延長することができるため、ゴルフ業界（例：スポーツ用品産業など）において、特に有用である。
【符号の説明】
【００２７】
１０：フィンガープロテクター
２０：使用者の手
２１：保護を目的とする指の関節部分（親指第二関節）
【図１】
0003228725.tif 000003